【手続補正書】
【提出日】平成17年3月23日(2005.3.23)
【手続補正１】
【補正対象書類名】特許請求の範囲
【補正対象項目名】全文
【補正方法】変更
【補正の内容】
【特許請求の範囲】
【請求項１】
圧電点火機構であって、作動形態と不作動形態との間で互いに回転自在な第１の部材と第２の部材を含む組立体と、前記組立体と連係した圧電要素と、前記組立体と可動的に連係した槌とを有し、前記組立体が作動形態にあるとき、圧電要素に衝撃を与えてこれが火花を生じさせるのに十分な力で槌を圧電要素に向かって押し進めることができることを特徴とする圧電点火機構。
【請求項２】
前記組立体は、長手方向軸線を定め、第１と第２の部材は、長手方向軸線に沿って互いに対して摺動自在であり、第１の部材と第２の部材は、作動形態と不作動形態との間で長手方向軸線回りに互いに対して回転することを特徴とする請求項１記載の圧電点火機構。
【請求項３】
第１の端部及び第２の端部を備えた衝撃ばねを更に有し、前記第１の端部は、槌と連係しており、衝撃ばねは、圧電要素が火花を生じさせるように十分な力で槌を圧電要素に向かって押し進めるよう作動形態において圧縮可能であることを特徴とする請求項１記載の圧電点火機構。
【請求項４】
前記組立体が不作動形態にあるとき、衝撃ばねは、これが圧電要素に衝撃を与えて圧電要素が火花を生じさせるのに十分な力で槌を圧電要素に向かって押し進めるのに十分には圧縮できないことを特徴とする請求項３記載の圧電点火機構。
【請求項５】
槌の側部には少なくとも１つの突出部が設けられ、前記組立体は、突出部を受け入れて槌の運動を制御するよう構成された少なくとも１つの長手方向スロットを有していることを特徴とする請求項１記載の圧電点火機構。
【請求項６】
前記組立体は、少なくとも１つの切欠きを更に有し、前記組立体が作動形態にあるとき、少なくとも１つの突出部は、少なくとも１つの切欠き内に受け入れ可能であることを特徴とする請求項５記載の圧電点火機構。
【請求項７】
前記組立体が不作動形態にあるとき、少なくとも１つの突出部は、少なくとも１つの切欠きに入るのが阻止されることを特徴とする請求項６記載の圧電点火機構。
【請求項８】
少なくとも１つの長手方向スロットと少なくとも１つの切欠きは、第１の部材内に設けられていて互いに連結されていることを特徴とする請求項６記載の圧電点火機構。
【請求項９】
第２の部材は、少なくとも１つの窓を有していて、前記窓は、前記組立体が不作動形態にあるとき、窓の側部が少なくとも１つの突出部に接触して少なくとも１つの突出部が少なくとも１つの切欠きに入るのを阻止するように構成されていることを特徴とする請求項８記載の圧電点火機構。
【請求項１０】
少なくとも１つの窓は、傾斜部分を更に有し、前記組立体が作動形態にあるときに第１の部材を第２の部材に向かって所定距離動かすと、少なくとも１つの傾斜部分により、少なくとも１つの突出部が少なくとも１つの切欠きから離脱することを特徴とする請求項９記載の圧電点火機構。
【請求項１１】
前記部材のうちの一方に設けられたカムを更に有し、カムは、他方の部材の少なくとも一部と相互作用して第１の部材を第２の部材に対して回転させるように構成されていることを特徴とする請求項１記載の圧電点火機構。
【請求項１２】
前記部材のうちの一方に設けられた押しボタンを更に有し、押しボタンから当接部が延びており、第１の部材の前記少なくとも一部は、前記当接部であることを特徴とする請求項１１記載の圧電点火機構。
【請求項１３】
カムは、第１の部材に設けられ、カムは、第２の部材に設けられたアームと相互作用するよう寸法決めされていることを特徴とする請求項１１記載の圧電点火機構。
【請求項１４】
ライターに用いられることを特徴とする請求項１記載の圧電点火機構。
【請求項１５】
延長されたワンドを有する実用ライターに用いられることを特徴とする請求項１記載の圧電点火機構。
【請求項１６】
ライターであって、燃料リザーバ及び燃料を選択的に放出するアクチュエータを備えたライター本体と、放出された燃料に点火する圧電点火機構とを有し、前記圧電点火機構は、作動形態と不作動形態との間で互いに回転自在な第１の部材と第２の部材を含む組立体と、前記組立体に設けられた圧電要素と、前記組立体内に可動的に設けられた槌と、槌と連係した付勢要素とを有し、前記組立体が作動形態にあるとき、槌は、火花を生じさせるのに十分な力で付勢要素により圧電要素に向かって押し進め可能であることを特徴とするライター。
【請求項１７】
第１の部材及び第２の部材のうち少なくとも一方は、ライター本体内部で回転自在であることを特徴とする請求項１６記載のライター。
【請求項１８】
前記部材のうちの一方に設けられたカムを更に有し、カムは、他方の部材の少なくとも一部と相互作用して第１の部材を第２の部材に対して回転させるように構成されていることを特徴とする請求項１６記載のライター。
【請求項１９】
第１の部材に設けられた押しボタンを更に有し、押しボタンから当接部が延びており、カムは、第２の部材に設けられていて、当接部と相互作用することを特徴とする請求項１８記載のライター。
【請求項２０】
前記部材のうち一方に設けられていて、該部材を回転させるためのアームと、ライター本体に設けられた孔を更に有し、アームの少なくとも一部は、孔を貫通していることを特徴とする請求項１６記載のライター。
【請求項２１】
取っ手、取っ手から延びるワンド及びワンドに設けられていて、燃料を放出するノズルを有することを特徴とする請求項１６記載のライター。
【請求項２２】
実用ライターであって、取っ手、燃料供給源、取っ手から遠ざかって延びるワンド、ノズル及び燃料をノズルに選択的に放出させるアクチュエータを有するハウジングと、放出された燃料に点火する圧電点火機構とを有し、前記圧電点火機構は、作動形態と不作動形態との間で互いに回転自在な第１の部材と第２の部材を含む組立体と、前記組立体に設けられた圧電要素と、前記組立体内に可動的に設けられた槌とを有し、前記組立体が作動形態にあるとき、圧電要素に衝撃を与えてこれが火花を生じさせるのに十分な力で槌を圧電要素に向かって押し進めることができることを特徴とする実用ライター。
【請求項２３】
第１の部材及び第２の部材のうち一方は、ハウジング内部で回転自在であることを特徴とする請求項２２記載の実用ライター。
【請求項２４】
ハウジングに設けられた孔と、第２の部材に設けられていて、第２の部材を回転させるよう構成されたアームとを更に有し、アームの少なくとも一部は、孔を貫通していることを特徴とする請求項２２記載の実用ライター。
【請求項２５】
前記孔は、圧電点火機構を作動させた後に第１及び第２の部材が休止位置に戻った後、前記組立体が不作動形態に戻されるよう前記アームを付勢するように構成されていることを特徴とする請求項２４記載の実用ライター。
【請求項２６】
前記孔は、前記アームを不作動形態に付勢するための傾斜部を備えた実質的にＵ字形のものであることを特徴とする請求項２５記載の実用ライター。
【請求項２７】
槌と連係した衝撃ばねを更に有していることを特徴とする請求項２２記載の実用ライター。
【請求項２８】
圧電点火機構であって、作動形態と不作動形態との間で動くことができる組立体と、前記組立体と連係した圧電要素と、前記組立体と連係した槌とを有し、槌は、前記組立体が作動形態にあるとき前記組立体に係合する少なくとも１つの突出部を有し、槌を前記組立体によって動かして付勢要素を圧縮するようになっており、前記組立体が不作動形態にあるとき、少なくとも１つの槌は、前記組立体に係合するのが阻止されることを特徴とする圧電点火機構。
【請求項２９】
前記組立体は、第１及び第２の部材を有していることを特徴とする請求項２８記載の圧電点火機構。
【請求項３０】
第１及び第２の部材は、作動形態と不作動形態との間で互いに対して回転することを特徴とする請求項２９記載の圧電点火機構。
【請求項３１】
前記組立体が作動形態にあるとき、少なくとも１つの突出部は、第１及び第２の部材のうちの一方に設けられた切欠きに係合し、前記組立体が不作動形態にあるとき、少なくとも１つの突出部は、第１及び第２の部材の他方によって切欠きに係合するのが阻止されることを特徴とする請求項２９記載の圧電点火機構。
【請求項３２】
前記組立体は、長手方向軸線を定め、第１の部材と第２の部材を長手方向軸線に沿って互いに対して圧縮すると、槌は、付勢要素を圧縮することを特徴とする請求項２９記載の圧電点火機構。
【請求項３３】
第１の部材と第２の部材を所定距離、互いに向かって圧縮すると、少なくとも１つの突出部は、前記組立体から離脱し、それにより付勢要素は、槌を圧電要素に向かって駆動して火花を生じさせることを特徴とする請求項３２記載の圧電点火機構。